(57)【要約】移動通信端末と基地局との間の無線通信方法及び装置であって、前記方法は、基地局と移動通信端末の間で物理資源ユニット（ＰＲＵ）を交換することを含む。ＰＲＵは、複数のＯＦＤＭＡシンボルを含む。各ＰＲＵのｌ番目のＯＦＤＭＡシンボルは、予め決定されたパイロット割り当て方式で割り当てられるｎｌ個のパイロットを含み、ｌ番目のＯＦＤＭＡシンボルのうち残っているＬＤＲＵ・（Ｐｓｃ−ｎｌ）個のデータサブキャリアは、０からＬＤＲＵ（Ｐｓｃ−ｎｌ）−１まで順次リナンバリングされ、論理的に連続しリナンバリングされた各サブキャリアは、ＬＤＲＵ・Ｌｐａｉｒ，ｌ個のペアにグルーピングされ、０からＬＤＲＵ・Ｌｐａｉｒ，ｌ−１までリナンバリングされ、論理的に連続したトーン―ペアは、各ペアに予め決定されたパーミュテーション公式が適用され、ｉ番目の分散ＬＲＵにマッピングされることなどを含む。【選択図】図１４
2011519187.tif 000002
【特許請求の範囲】
【請求項１】
移動通信端末と基地局との間での無線で通信する方法であって、
前記基地局と前記移動通信端末との間で物理資源ユニット（ｐｈｙｓｉｃａｌ  ｒｅｓｏｕｒｃｅ  ｕｎｉｔ、ＰＲＵ）を交換することを含み、
前記物理資源ユニットは、複数のＯＦＤＭＡシンボルを含み、
それぞれの１番目のＯＦＤＭＡシンボルは、予め決定されたパイロット割り当て方式によって割り当てられるｎｌ個のパイロットサブキャリアを含み、
前記ｌ番目のＯＦＤＭＡシンボルのうち残っているＬＤＲＵ・（Ｐｓｃ−ｎｌ）個のデータサブキャリアは、インデックス０からＬＤＲＵ（Ｐｓｃ−ｎｌ）−１まで順次リナンバリングされ、論理的に連続した前記リナンバリングされたデータサブキャリアは、ＬＤＲＵ・Ｌｐａｉｒ，ｌ個のデータサブキャリアペアにグルーピングされ、インデックス０からＬＤＲＵ・Ｌｐａｉｒ，ｌ−１までリナンバリングされ、
論理的に連続した前記トーン―ペア（ｉ・Ｌｐａｉｒ，ｌ；（ｉ＋１）・Ｌｐａｉｒ，ｌ−１）は、予め決定されたパーミューテーション公式によってパーミューティングされ、ｉ番目の分散論理資源ユニットにマッピングされ（ただし、ｉ＝０、１、…、ＬＤＲＵ−１）、
前記ＬＤＲＵは、分散資源ユニット（ｄｉｓｔｒｉｂｕｔｅｄ  ｒｅｓｏｕｒｃｅ  ｕｎｉｔ、ＤＲＵ）の個数を示し、前記Ｐｓｃは、前記物理資源ユニット内のＯＦＤＭＡシンボルでのサブキャリアの個数を示し、Ｌｐａｉｒ，ｌ＝（Ｐｓｃ−ｎｌ）／２である、無線通信方法。
【請求項２】
前記交換するのは、前記物理資源ユニットを前記基地局から前記移動通信端末に送信することを含む、請求項１に記載の無線通信方法。
【請求項３】
前記交換するのは、前記移動通信端末で前記基地局から前記物理資源ユニットを受信することを含む、請求項１に記載の無線通信方法。
【請求項４】
前記予め決定されたパーミュテーション公式は、「ペア（ｓ，ｍ，ｌ，ｔ）」＝ＬＤＲＵ・ｆ（ｍ，ｓ）＋ｇ（ＰｅｒｍＳｅｑ（），ｓ，ｍ，ｌ，ｔ）を含み、ここで、ｌ＝０、１、…、Ｎｓｙｍ−１で、「ペア（ｓ，ｍ，ｌ，ｔ）」は、ｔ番目のサブフレームのｓ番目の分散論理資源ユニット内のｌ番目０＜＝ｌ＜Ｎｓｙｍ）のＯＦＤＭＡシンボル内のｍ番目（０＜＝ｍ＜Ｌｐａｉｒ，ｌ）のトーン―ペアのトーン―ペアインデックスで、ｔは、フレームに対するサブフレームインデックスで、ｓは、分散論理資源ユニットのインデックス（０＜＝ｓ＜ＬＤＲＵ）で、ｍは、前記ｌ番目のＯＦＤＭＡシンボル内のトーン―ペアインデックスで、ＰｅｒｍＳｅｑ（）は、予め決定された関数又は検索テーブルによって生成されるパーミュテーションシーケンスである、請求項１に記載の無線通信方法。
【請求項５】
移動通信端末と基地局との間で無線で通信する方法であって、
前記基地局と前記移動通信端末との間で物理資源ユニット（ｐｈｙｓｉｃａｌ  ｒｅｓｏｕｒｃｅ  ｕｎｉｔ、ＰＲＵ）を交換することを含み、
前記物理資源ユニットは、複数のＯＦＤＭＡシンボルを含み、
前記交換するのは、
それぞれのｌ番目のＯＦＤＭＡシンボルに対して、予め決定されたパイロット割り当て方式によってｎｌ個のパイロットを割り当て、
前記ｌ番目のＯＦＤＭＡシンボルのうち残っているＬＤＲＵ・（Ｐｓｃ−ｎｌ）個のデータサブキャリアをインデックス０からＬＤＲＵ（Ｐｓｃ−ｎｌ）−１まで順次リナンバリングし、論理的に連続した前記リナンバリングされたデータサブキャリアをＬＤＲＵ・Ｌｐａｉｒ，ｌ個のデータサブキャリアペアにグルーピングし、インデックス０からＬＤＲＵ・Ｌｐａｉｒ，ｌ−１までリナンバリングし、
論理的に連続した前記トーン―ペア（ｉ・Ｌｐａｉｒ，ｌ；（ｉ＋１）・Ｌｐａｉｒ，ｌ−１）を、予め決定されたパーミュテーション公式によってパーミューティングし、ｉ番目の分散論理資源ユニットにマッピングする（ただし、ｉ＝０、１、…、ＬＤＲＵ−１）ことを含み、
前記ＬＤＲＵは、分散資源ユニット（ｄｉｓｔｒｉｂｕｔｅｄ  ｒｅｓｏｕｒｃｅ  ｕｎｉｔ、ＤＲＵ）の個数を示し、前記Ｐｓｃは、前記物理資源ユニット内のＯＦＤＭＡシンボルでの各サブキャリアの個数を示し、Ｌｐａｉｒ，ｌ＝（Ｐｓｃ−ｎｌ）／２である、無線通信方法。
【請求項６】
前記交換するのは、前記基地局から前記移動通信端末に前記物理資源ユニットを送信することを含む、請求項５に記載の無線通信方法。
【請求項７】
前記交換するのは、前記無線通信端末で前記基地局から前記物理資源ユニットを受信することを含む、請求項５に記載の無線通信方法。
【請求項８】
前記予め決定されたパーミュテーション公式は、「ペア（ｓ，ｍ，ｌ，ｔ）」＝ＬＤＲＵ・ｆ（ｍ，ｓ）＋ｇ（ＰｅｒｍＳｅｑ（），ｓ，ｍ，ｌ，ｔ）を含み、ここで、ｌ＝０、１、…、Ｎｓｙｍ−１で、「ペア（ｓ，ｍ，ｌ，ｔ）」は、ｔ番目のサブフレームのｓ番目の分散論理資源ユニット内のｌ番目（０＜＝ｌ＜Ｎｓｙｍ）のＯＦＤＭＡシンボル内のｍ番目（０＜＝ｍ＜Ｌｐａｉｒ，ｌ）のトーン―ペアのトーン―ペアインデックスで、ｔは、フレームに対するサブフレームインデックスで、ｓは、分散論理資源ユニットのインデックスで（０＜＝ｓ＜ＬＤＲＵ）、ｍは、前記ｌ番目のＯＦＤＭＡシンボル内のトーン―ペアインデックスで、ＰｅｒｍＳｅｑ（）は、予め決定された関数又は検索テーブルによって生成されるパーミュテーションシーケンスである、請求項５に記載の無線通信方法。
【請求項９】
他の装置と無線で通信するようになっている無線通信装置であって、
メモリと、
該メモリに作動可能に連結されており、前記他の装置と物理資源ユニット（ｐｈｙｓｉｃａｌ  ｒｅｓｏｕｒｃｅ  ｕｎｉｔ、ＰＲＵ）を交換するようになっているプロセッサと、を含み、
前記物理資源ユニットは、複数のＯＦＤＭＡシンボルを含み、
それぞれのｌ番目のＯＦＤＭＡシンボルは、予め決定されたパイロット割り当て方式によって割り当てられるｎｌ個のパイロットを含み、
前記ｌ番目のＯＦＤＭＡシンボルのうち残っているＬＤＲＵ・（Ｐｓｃ−ｎｌ）個のデータサブキャリアは、インデックス０からＬＤＲＵ・（Ｐｓｃ−ｎｌ）−１まで順次リナンバリングされ、論理的に連続した前記リナンバリングされたデータサブキャリアは、ＬＤＲＵ・Ｌｐａｉｒ，ｌ個のデータサブキャリアペアにグルーピングされ、インデックス０からＬＤＲＵ・Ｌｐａｉｒ，ｌ−１までリナンバリングされ、
論理的に連続した前記トーン―ペア（ｉ・Ｌｐａｉｒ，ｌ；（ｉ＋１）・Ｌｐａｉｒ，ｌ−１）は、予め決定されたパーミュテーション公式によってパーミューティングされ、ｉ番目の分散論理資源ユニットにマッピングされ（ただし、ｉ＝０、１、…、ＬＤＲＵ−１）、
前記ＬＤＲＵは、分散資源ユニット（ｄｉｓｔｒｉｂｕｔｅｄ  ｒｅｓｏｕｒｃｅ  ｕｎｉｔ、ＤＲＵ）の個数を示し、前記Ｐｓｃは、前記物理資源ユニット内のＯＦＤＭＡシンボルでのサブキャリアの個数を示し、Ｌｐａｉｒ，ｌ＝（Ｐｓｃ−ｎｌ）／２である、無線通信装置。
【請求項１０】
前記通信装置は移動通信ネットワークの基地局で、前記基地局は、前記ＰＲＵをエンコーディングして送信するようになっている、請求項９に記載の無線通信装置。
【請求項１１】
前記通信装置は、移動通信ネットワーク内の移動通信端末で、前記移動通信端末は、前記物理資源ユニットを受信してデコーディングするようになっている、請求項９に記載の無線通信装置。
【請求項１２】
前記予め決定されたパーミュテーション公式は、「ペア（ｓ，ｍ，ｌ，ｔ）」＝ＬＤＲＵ・ｆ（ｍ，ｓ）＋ｇ（ＰｅｒｍＳｅｑ（），ｓ，ｍ，ｌ，ｔ）を含み、ここで、ｌ＝０、１、…、Ｎｓｙｍ−１で、「ペア（ｓ，ｍ，ｌ，ｔ）」は、ｔ番目のサブフレームのｓ番目の分散論理資源ユニット内のｌ番目（０＜＝ｌ＜Ｎｓｙｍ）のＯＦＤＭＡシンボル内のｍ番目（０＜＝ｍ＜Ｌｐａｉｒ，ｌ）のトーン―ペアのトーン―ペアインデックスで、ｔは、フレームに対するサブフレームインデックスで、ｓは、分散論理資源ユニットのインデックスで（０＜＝ｓ＜ＬＤＲＵ）、ｍは、前記ｌ番目のＯＦＤＭＡシンボル内のトーン―ペアインデックスで、ＰｅｒｍＳｅｑ（）は、予め決定された関数又は検索テーブルによって生成されるパーミュテーションシーケンスである、請求項９に記載の無線通信装置。
【発明の詳細な説明】
【技術分野】
【０００１】
本発明は、空間周波数ブロックコーディング（Ｓｐａｃｅ  Ｆｒｅｑｕｅｎｃｙ  Ｂｌｏｃｋ  Ｃｏｄｉｎｇ、ＳＦＢＣ）をサポートする広帯域無線移動通信システムに関するものである。
【背景技術】
【０００２】
フェーディング（Ｆａｄｉｎｇ）は、搬送波が変調された遠距離通信信号が特定の伝播メディアを経験しながら発生する歪曲である。フェーディングチャンネルは、フェーディングが発生する通信チャンネルをいう。無線システムにおいて、フェーディングは、多重経路伝播によって発生し、多重経路誘発フェーディングといわれることもある。
【０００３】
無線通信では、送信機と受信機を取り囲む環境での反射材により、送信信号が通過する複数の経路が生成される。その結果、受信機は、互いに異なる経路を通過した送信信号の多数の複写本における重畳（ｓｕｐｅｒｐｏｓｉｔｉｏｎ）された信号を受信するようになる。各信号の複写本は、送信機から受信機まで伝播される間、互いに異なる減衰、遅延及び位相遷移を経験するようになる。その結果、受信機側では、補強干渉（ｃｏｎｓｔｒｕｃｔｉｖｅ  ｉｎｔｅｒｆｅｒｅｎｃｅ）又は相殺干渉（ｄｅｓｔｒｕｃｔｉｖｅ  ｉｎｔｅｒｆｅｒｅｎｃｅ）、信号電力の減衰又は増幅を経験する。強い相殺干渉は、ディープフェーディング（ｄｅｅｐ  ｆａｄｅ）ともいわれ、これによってチャンネルの信号対雑音比が深刻に損傷され、結果として、一時的な通信の失敗につながるようになる。
【０００４】
無線通信において、ダイバーシティ方式は、互いに異なる特性を有する二つ以上の通信チャンネルを使用することによってメッセージの信頼性を向上させる方法をいう。ダイバーシティは、フェーディング及び共同チャンネル干渉に対抗し、バーストエラーを避けるための重要な役割をする。ダイバーシティは、それぞれのチャンネルが互いに異なる水準のフェーディング及び干渉を経験するために存在する。同一の信号に対する複数の複写本が伝送されれば、受信機では、これら複写本を組み合わせることができる。また、余剰の前方エラー補正コードが追加され、メッセージの互いに異なる部分は互いに異なるチャンネルを介して伝送することができる。ダイバーシティ方式は、多重経路伝播現象を用いるもので、この方式によれば、デシベル（ｄｅｃｉｂｅｌ）で測定されるダイバーシティ利得を得ることができる。
【０００５】
ダイバーシティ方式は、時間ダイバーシティ、周波数ダイバーシティ、空間ダイバーシティ、分極ダイバーシティ、多重ユーザダイバーシティ及び協力的ダイバーシティなどに分類される。このうち、時間ダイバーシティでは、同一の信号に対する様々な複写本が互いに異なる時点に到逹される。また、余剰の前方エラー補正コードが追加され、メッセージは、送信される前にビット―インターリービングによって時間上で拡散される。したがって、エラーバーストを予防することができ、エラー補正が簡単に行われる。周波数ダイバーシティによれば、信号は、多数の周波数チャンネルを介して送信されたり、又は、周波数―選択的フェーディングによって影響を受ける広帯域スペクトルにわたって拡散される。
【０００６】
広帯域無線移動通信システムにおいて、各資源は、送信時に分散される方式で割り当てられるが、これによって、周波数ダイバーシティ利得を得るようになる。資源の分散割り当てのための各方法は、ユーザに割り当てられる分散資源ユニット（Ｄｉｓｔｒｉｂｕｔｅｄ  Ｒｅｓｏｕｒｃｅ  Ｕｎｉｔｓ、ＤＲＵ）の個数の組み合わせによって異なり、このユーザのためにＤＲＵを割り当てるための使用可能な帯域幅によって異なる。ユーザに割り当てられるＤＲＵの個数は、このユーザに割り当てられるパケットサイズに比例し、ＤＲＵを形成するための利用可能な帯域幅は、このユーザに割り当てられる論理資源ユニット（Ｌｏｇｉｃａｌ  Ｒｅｓｏｕｒｃｅ  Ｕｎｉｔｓ、ＬＲＵ）の個数に比例する。
【０００７】
図１は、ＤＲＵを形成するためのＬＲＵの個数（利用可能な帯域幅）及びパケットサイズの可能な組み合わせを示す図である。
【０００８】
図１の領域１は、少量の利用可能な帯域幅及び大きいパケットサイズの組み合わせを示し、領域３は、大量の利用可能な帯域幅及び大きいパケットサイズの組み合わせを示す。領域１及び領域３で、利用可能な各分散資源割り当て方式間の性能差は無視してもよいが、これは、これら各領域でパケットサイズが大きいので、パケットが周波数上で拡散される可能性がより大きいためである。
【０００９】
しかし、領域４でも、断片ＰＲＵ（ｆｒａｃｔｉｏｎａｌ  ｐｈｙｓｉｃａｌ  ｒｅｓｏｕｒｃｅ  ｕｎｉｔ）のサイズ又はミニ物理資源ユニット（Ｍｉｎｉ  ｐｈｙｓｉｃａｌ  Ｒｅｓｏｕｒｃｅ  Ｕｎｉｔ、ＭＲＵ）のサイズが小さい場合、利用可能な各分散資源割り当て方式間の性能差はそれほど大きくないが、これは、ＤＲＵを形成するための大きい利用可能な帯域幅のために、各ＭＲＵが周波数軸上で拡張される方式で小さいサイズのＭＲＵの個数が割り当てられるためである。したがって、ダイバーシティ利得の観点で、ＭＲＵのサイズが小さいほど、システム性能は良くなる。したがって、ＤＲＵを形成するための最小ユニットとして１個のサブキャリアが使用される場合、最小ユニットを形成する他の構造を使用する場合に比べて、より大きいダイバーシティ利得を得ることができる。
【００１０】
しかし、ＤＲＵを形成するための最小ユニットとして一つのＭＲＵを設計する方法は、ダイバーシティ側面だけでなく、柔軟性の側面でも接近されなければならないが、これは、無線移動通信システムが様々なサブフレーム構成をサポートできるためである。例えば、通信システムは、部分周波数再使用（Ｆｒａｃｔｉｏｎａｌ  Ｆｒｅｑｕｅｎｃｙ  Ｒｅｕｓｅ、ＦＦＲ）、及びＤＲＵとＣＲＵに対する周波数分割多重化（Ｆｒｅｑｕｅｎｃｙ  Ｄｉｖｉｓｉｏｎ  Ｍｕｌｔｉｐｌｅｘｉｎｇ、ＦＤＭ）を採択することができる。ここで、ＣＲＵは、連続的な資源ユニットであって、分散資源ユニットともいわれる。また、特定の各構成では、空間時間ブロックコード（Ｓｐａｃｅ―Ｔｉｍｅ  Ｂｌｏｃｋ  Ｃｏｄｅ、ＳＴＢＣ）がデータ伝送に適していないサブフレーム構成が存在しうる。ＳＴＢＣは、奇数個のシンボルを有するサブフレームには適していない。時分割二重化（Ｔｉｍｅ  Ｄｉｖｉｓｉｏｎ  Ｄｕｐｌｅｘｉｎｇ、ＴＤＤ）モードでは、送信遷移ギャップ（Ｔｒａｎｓｍｉｓｓｉｏｎ  Ｔｒａｎｓｉｔｉｏｎ  Ｇａｐ、ＴＴＧ）に対する非正規サブフレーム（５シンボル）に対して、プリアンブルを含むサブフレームに対して、ミッドアンブル（ｍｉｄ―ａｍｂｌｅ）を含むサブフレームに対して、他の循環前置サイズ（Ｃｙｃｌｉｃ  Ｐｒｅｆｉｘ  ｓｉｚｅ、ＣＰ  ｓｉｚｅ）（例えば、１／１６ＣＰのための７個のシンボル）に対して、そして、時分割多重化（Ｔｉｍｅ  Ｄｉｖｉｓｉｏｎ  Ｍｕｌｔｉｐｌｅｘｉｎｇ、ＴＤＭ）ＭＡＰを含むサブフレームなどに対して、総奇数個のシンボルが割り当てられる。周波数分割二重化（Ｆｒｅｑｕｅｎｃｙ  Ｄｉｖｉｓｉｏｎ  Ｄｕｐｌｅｘｉｎｇ、ＦＤＤ）モードでは、プリアンブルを含むサブフレームに対して、ミッドアンブルを含むサブフレームに対して、他のＣＰサイズ（例えば、１／１６ＣＰのための７個のシンボル）に対して、そして、ＴＤＭ  ＭＡＰを含むサブフレームなどに対して、総奇数個のシンボルが割り当てられる。
【００１１】
ＳＴＢＣが多くの種類のサブフレーム構成に適していないとしても、空間周波数ブロックコーディング（Ｓｐａｔｉａｌ  Ｆｒｅｑｕｅｎｃｙ  Ｂｌｏｃｋ  Ｃｏｄｉｎｇ、ＳＦＢＣ）は、全てのサブフレーム構成をサポートすることができる。したがって、本発明の発明者らが公開したように、ダイバーシティ利得性能を考慮しながら、ＳＴＢＣをＳＦＢＣに取り替えるためのＤＲＵを形成するための最小ユニットに対する構造を作る必要があり、ＳＴＢＣ及びＳＦＢＣを全てサポートするための構造を作る必要がある。
【発明の概要】
【発明が解決しようとする課題】
【００１２】
本発明によって解決すべき技術的な問題は、ＳＦＢＣ  ＭＩＭＯをサポートしながら強いダイバーシティ利得を提供するＤＲＵを形成するための最小ユニットのサイズを決定し、その伝送方法を設計することにある。
【課題を解決するための手段】
【００１３】
本発明の一様相において、移動通信端末と基地局との間での無線通信方法が提供される。この方法は、基地局と移動通信端末との間でＰＲＵを交換することを含むが、このとき、ＰＲＵは、複数のＯＦＤＭＡシンボルを有する。それぞれの１番目のＯＦＤＭＡシンボルは、予め決定されたパイロット割り当て方式によって割り当てられるｎｌ個のパイロットを含み、前記ｌ番目のＯＦＤＭＡシンボルのうち残っているＬＤＲＵ・（Ｐｓｃ−ｎｌ）個のデータサブキャリアは、０からＬＤＲＵ（Ｐｓｃ−ｎｌ）−１までリナンバリングされる。このとき、論理的に隣接するリナンバリングされた各サブキャリアは、ＬＤＲＵ・Ｌｐａｉｒ，ｌ個のペアにグルーピングされ、０からＬＤＲＵ・Ｌｐａｉｒ，ｌ−１にリナンバリングされる。０〜ＬＤＲＵ・Ｌｐａｉｒ，ｌ−１のトーン―ペア（ｔｏｎｅ  ｐａｉｒｓ）が形成されれば、各ペアに対して予め決定されたパーミュテーション公式が適用され、論理的に連続したトーン―ペア（ｉ・Ｌｐａｉｒ，ｌ；（ｉ＋１）・Ｌｐａｉｒ，ｌ−１）は、ｉ番目の分散されたＬＲＵにマッピングされる。ここで、ｉ＝０、１、…、ＬＤＲＵ−１、ＬＤＲＵ＝ＤＲＵの個数、Ｐｓｃ＝ＰＲＵ内でのＯＦＤＭＡシンボルでのサブキャリアの個数で、Ｌｐａｉｒ，ｌ＝（Ｐｓｃ−ｎｌ）／２である。
【００１４】
発明の一側面で、移動通信端末と基地局との間での無線通信方法が提供される。この方法は、基地局と端末との間でＰＲＵを取り交わすことを含むが、このＰＲＵは、多数のＯＦＤＭＡシンボルで構成されている。サブフレームに存在するそれぞれのｌ番目のＯＦＤＭＡシンボルで、各ＤＲＵ内のｎｌ個のパイロットは、予め決定された割り当て方法に合わせて割り当てられる。ｌ番目のＯＦＤＭＡシンボル内にあるＤＲＵＦＰｉ［ｊ］に属する各データサブキャリアをＳＣ＿ＤＲＵＦＰｉ［ｊ］，ｌ［ｎ］、０≦ｊ＜ＬＤＲＵ，ＦＰｉ、ａｎｄ  ０≦ｎ＜ＬＳＣ，ｌ．と定義するが、ここで、ＤＲＵＦＰｉ［・］は、ｉ番目の周波数パーティション（ｆｒｅｑｕｅｎｃｙ  ｐａｒｔｉｔｉｏｎ）に存在する各ＤＲＵを意味し、ＬＤＲＵ，ＦＰｉはｉ番目の周波数パーティションに存在するＤＲＵＦＰｉ［・］の個数を意味し、ＬＳＣ，ｌは、一つのＰＲＵ内にあるｌ番目のＯＦＤＭＡシンボルでのデータサブキャリアの数を意味する。すなわち、ＬＳＣ，ｌ＝Ｐｓｃ−ｎｌで、ここで、Ｐｓｃは、一つのＰＲＵ内の一つのＯＦＤＭＡシンボルでのサブキャリアの数を意味する。各ＤＲＵのＬＤＲＵ，ＦＰｉ・ＬＳＣ，ｌだけのデータサブキャリアを０からＬＤＲＵ，ＦＰｉ・ＬＳＣ，ｌ−１まで順次リナンバリングする。このように論理的に連続したリナンバリングした各サブキャリアをＬＤＲＵ，ＦＰｉ・ＬＳＰ，ｌペアにグルーピングし、これらを０からＬＤＲＵ，ＦＰｉ・ＬＳＰ，ｌ−１までリナンバリングする。ここで、ＬＳＰ，ｌは、一つのＰＲＵ内にあるｌ番目のＯＦＤＭＡシンボルでのデータサブキャリアペアの数を意味し、ＬＳＣ，ｌ／２と同一である。リナンバリングされたｌ番目のＯＦＤＭＡシンボルでのサブキャリアペアをＲＳＰＦＰｉ，ｌと称し、これは、｛ＳＣ＿ＤＲＵＦＰｉ［ｊ］，ｌ［２ｖ］，ＳＣ＿ＤＲＵＦＰｉ［ｊ］，ｌ［２ｖ＋１］｝、０＜＝ｕ＜ＬＤＲＵ，ＦＰｉ・ＬＳＰ，ｌ（ここで、ｊ＝ｆｌｏｏｒ（ｕ／ＬＳＰ，ｌ）、ｖ＝ｕ  ｍｏｄ  ＬＳＰ，ｌ）と同一である。予め決定されたパーミュテーション公式によって、ＲＳＰＦＰｉ，ｌはｓ番目の分散ＬＲＵにマッピングされるが、ここで、ｓ＝０、１、…、ＬＤＲＵ，ＦＰｉ−１である。ここで、「ｍｏｄ」は、モジュロ演算を意味する。本発明では、前記「サブキャリアペア」又は「トーン―ペア」という用語が使用される。
【００１５】
本発明の他の様相において、前記交換するのは、ＰＲＵを基地局から移動通信端末に送信することを含む。
【００１６】
本発明の他の様相において、前記交換するのは、移動通信端末がＰＲＵを基地局から受信することを含む。
【００１７】
本発明の他の様相において、前記予め決定されたパーミュテーション公式は、ｔ番目のサブフレームのｓ番目分散論理資源ユニットに対して「ペア（ｓ，ｍ，ｌ，ｔ）」＝ＬＤＲＵ・ｆ（ｍ，ｓ）＋ｇ（ＰｅｒｍＳｅｑ（），ｓ，ｍ，ｌ，ｔ）によって与えられる。ここで、ｌ＝０、１、…、Ｎｓｙｍ−１で、「ペア（ｓ，ｍ，ｌ，ｔ）」は、ｔ番目のサブフレームのｓ番目の分散論理資源ユニット内のｌ番目（０＜＝ｌ＜Ｎｓｙｍ）のＯＦＤＭＡシンボル内のｍ番目（０＜＝ｍ＜Ｌｐａｉｒ，ｌ）のトーン―ペアのトーン―ペアインデックスで、ｔは、フレームに対するサブフレームインデックスで、ｓは、分散論理資源ユニットのインデックス（０＜＝ｓ＜ＬＤＲＵ）で、ｍは、前記ｌ番目のＯＦＤＭＡシンボル内のトーン―ペアインデックスで、ＰｅｒｍＳｅｑ（）は、予め決定された関数又は検索テーブルによって生成されるパーミュテーションシーケンスである。
【００１８】
更に他の側面で、前記予め決定されたパーミュテーション公式は、ＳＣ＿ＤＲＵＦＰｉ［ｊ］，ｌ［ｍ］＝ＲＳＰＦＰｉ，ｌ［ｋ］によって与えられる。ここで、ｋは、ＬＤＲＵ，ＦＰｉ・ｆ（ｍ，ｓ）＋ｇ（ＰｅｒｍＳｅｑ（），ｓ，ｍ，ｌ，ｔ）と同一であるが、これは、ｔ番目のサブフレームのｓ番目の分散ＬＲＵのｌ番目のＯＦＤＭＡシンボルでのｍ番目のサブキャリアペアを意味し、ｍは、０からＬＳＰ，ｌ−１の範囲を有するサブキャリアペアで、ｔは、そのフレームに該当するサブフレームインデックスを意味する。
【００１９】
本発明の他の様相において、前記交換するのは、それぞれのｌ番目のＯＦＤＭＡシンボルに対して予め決定されたパイロット割り当て方式によってｎｌ個のパイロットを割り当て、ｌ番目のＯＦＤＭＡシンボルのうち残っているＬＤＲＵ・（Ｐｓｃ−ｎｌ）個のデータサブキャリアを０からＬＤＲＵ・（Ｐｓｃ−ｎｌ）−１まで順次リナンバリングし、０からＬＤＲＵ・Ｌｐａｉｒ，ｌ−１までのトーン―ペアの各ペアに予め決定されたパーミュテーション公式を適用することによって、論理的に連続したトーン―ペア（ｉ・Ｌｐａｉｒ，ｌ；（ｉ＋１）・Ｌｐａｉｒ，ｌ−１）をｉ番目の分散ＬＲＵにマッピングすることを含む。ここで、ｉ＝０、１、…、ＬＤＲＵ−１で、論理的に連続したリナンバリングされた各サブキャリアは、ＬＤＲＵ・Ｌｐａｉｒ，ｌ個のペアにグルーピングされ、０からＬＤＲＵ・Ｌｐａｉｒ，ｌ−１にリナンバリングされる。
【００２０】
本発明の他の様相において、他の機器と無線通信可能に構成された通信機器が提供される。この通信機器は、メモリと、該メモリに作動可能に連結されており、前記他の機器とＰＲＵを交換するように構成されたプロセッサとを含む。前記ＰＲＵは、複数のＯＦＤＭＡシンボルを含む。それぞれのｌ番目のＯＦＤＭＡシンボルは、予め決定されたパイロット割り当て方式によって割り当てられたｎｌ個のパイロットを含む。前記ｌ番目のＯＦＤＭＡシンボルのうち残っているＬＤＲＵ・（Ｐｓｃ−ｎｌ）個のデータサブキャリアは、０からＬＤＲＵ（Ｐｓｃ−ｎｌ）−１に順次リナンバリングされる。ここで、論理的に連続したリナンバリングされた各サブキャリアは、ＬＤＲＵ・Ｌｐａｉｒ，ｌ個のペアにグルーピングされ、０からＬＤＲＵ・Ｌｐａｉｒ，ｌ−１までリナンバリングされる。０からＬＤＲＵ・Ｌｐａｉｒ，ｌ−１までのトーン―ペアが形成されれば、それぞれのペアに予め決定されたパーミュテーション公式が適用され、論理的に連続したトーン―ペア（ｉ・Ｌｐａｉｒ，ｌ；（ｉ＋１）・Ｌｐａｉｒ，ｌ−１）はｉ番目の分散ＬＲＵにマッピングされる。ここで、ｉ＝０、１、…、ＬＤＲＵ−１である。
【００２１】
本発明の他の様相において、前記通信機器は無線通信ネットワークの基地局で、前記基地局は、前記ＰＲＵをエンコーディングして送信するように構成される。
【００２２】
本発明の他の様相において、前記通信機器は無線通信ネットワークの移動通信端末で、前記移動通信端末は、前記ＰＲＵを受信してデコーディングするように構成される。
【発明の効果】
【００２３】
本発明によってＤＲＵを形成するための最小単位は、ダイバーシティ利得を提供し、ＳＦＢＣ  ＭＩＭＯ動作をサポートするという利点を有する。
【図面の簡単な説明】
【００２４】
【図１】各パケットサイズと一人のユーザに対して利用可能な帯域幅の組み合わせによってダイバーシティ利得側面での性能を比較するためのダイアグラムである。
【図２】それぞれ本発明の一実施例に係る例示的なＤＲＵ構造を示す図である。
【図３】それぞれ本発明の一実施例に係る例示的なＤＲＵ構造を示す図である。
【図４】それぞれ本発明の一実施例に係る例示的なＤＲＵ構造を示す図である。
【図５】それぞれ本発明の一実施例に係る例示的なＤＲＵ構造を示す図である。
【図６Ａ】それぞれ本発明の一実施例に係る例示的なＤＲＵ構造を示す図である。
【図６Ｂ】図６Ａに示した各構造を形成するための方法を示す図である。
【図７】本発明の一実施例に係る正規サブフレームの基本ＰＲＵに対するＭＲＵの構造を示す図である。
【図８】本発明の一実施例に係る非正規サブフレームの基本ＰＲＵに対するＭＲＵの構造を示す図である。
【図９】本発明の一実施例に係る非正規サブフレームの基本ＰＲＵに対するＭＲＵの構造を示す図である。
【図１０】本発明の一実施例に係る正規サブフレームの基本ＰＲＵに対する他のＭＲＵの構造を示す図である。
【図１１】本発明の一実施例に係る非正規サブフレームの基本ＰＲＵに対する他のＭＲＵの構造を示す図である。
【図１２】本発明の一実施例に係る非正規サブフレームの基本ＰＲＵに対する他のＭＲＵの構造を示す図である。
【図１３】本発明の一実施例に係るフレーム構造を示す図である。
【図１４】本発明の一実施例に係るサブキャリア―ＤＲＵマッピングを示す図である。
【図１５】図２〜図１４の各データ構造を交換可能な無線通信システムの構造を示す図である。
【図１６】図２〜図１４の各データ構造を交換可能な通信機器の各構成要素を示すブロック図である。
【発明を実施するための形態】
【００２５】
添付の図面は、本発明の理解を促進するために提供されたものである。添付の図面は、本発明の各実施例を描写し、発明の詳細な説明と共に本発明の原理を説明するためのものである。
【００２６】
本発明の例示的な各実施例に対する参照が詳細に提供されており、本発明の各例が添付の図面上に描写される。添付の図面を参照した下記の詳細な説明は、本発明の例示的な各実施例を説明するために意図されたもので、本発明によって具現可能な唯一の実施例を示すものではない。下記の詳細な説明は、本発明の完全な理解を提供するために特定の具体的な内容を含む。しかし、本発明の属する技術分野の熟練された者であれば、本発明がそのような特定の具体的な内容なしにも実施可能であることを理解するであろう。例えば、下記の説明は、特定の用語を使用して記述されるが、そうであるとしても、本発明がこのような用語又は同一の意味を示す他の用語によって限定されることはない。
【００２７】
ＤＲＵは、資源割り当て領域にわたって分散された各サブキャリアを含む。前記ＤＲＵを形成するための最小単位が１個のサブキャリア又は前記ＤＲＵの一部と同一であるとしても、前記最小単位の最適なサイズは、可能な資源構成によって変わり得る。この文書で、（ｘ，ｙ）は、ｘ個のサブキャリア及びｙ個のＯＦＤＭＡシンボルで構成される資源ユニットのサイズを示す。
【００２８】
ＤＲＵを構成するＭＲＵのサイズを決定するとき、ダイバーシティ利得に関する事項を考慮しなければならない。小さいサイズの「最小ＤＲＵ形成ユニット（最小―資源ユニット；ＭＲＵ）」が大きいサイズの「最小ＤＲＵ形成ユニット」よりも好まれるが、その理由は、大きいサイズの「最小ＤＲＵ形成ユニット」に比べて、小さいサイズの「最小ＤＲＵ形成ユニット」によってより大きいダイバーシティ利得を得られるためである。
【００２９】
一方、ＭＲＵのサイズを決定するにおいて、ＳＴＢＣ（ｓｐａｃｅ  ｔｉｍｅ  ｂｌｏｃｋ  ｃｏｄｅ）がデータ伝送に適していないサブフレーム構成に対しては、ＳＦＢＣ（ｓｐａｃｅ  ｆｒｅｑｕｅｎｃｙ  ｂｌｏｃｋ  ｃｏｄｅ）をサポートする能力を考慮しなければならない。このようなサブフレーム構成に対しては、ＳＴＢＣよりＳＦＢＣを使用することが有利である。一般的に、ＳＴＢＣをＳＦＢＣに取り替えるために、ＳＴＢＣ及びＳＦＢＣを全てサポートするために、又は、全ての異なるサブフレーム構成をサポートするためには、最小２個のサブキャリアが連続していなければならない。
【００３０】
上述した内容を考慮すれば、本発明によって導入される「最小ＤＲＵ形成ユニット」は二つ以上のサブキャリアを含むことができる。以下、本発明に係る各実施例を記述する。
【００３１】
本発明の一実施例によれば、一つのＤＲＵはｋ個のＭＲＵを含む。ＤＲＵを構成する一つのＭＲＵは、ＰＲＵのサイズが（ＰＳＣ，Ｎｓｙｍ）である場合に（２ｎ，Ｎｓｙｍ）のサイズを有する。ここで、「ＰＳＣ」は、ＤＲＵを構成する各サブキャリアの個数を示し、「Ｎｓｙｍ」は、ＤＲＵを構成する各シンボルの個数を示す。このとき、ＰＳＣはｋ＊２ｎと同一で、「２ｎ」は、ＭＲＵを構成する各サブキャリアの個数を示し、「ｋ」は、ＤＲＵに含まれるＭＲＵの個数を示す自然数で、「ｎ」は自然数である。このようなＭＲＵ構成により、最も簡単なパーミュテーション規則によってＳＦＢＣがサポートされる。
【００３２】
図２は、本発明の一実施例に係る例示的なＤＲＵ構造を示す図である。
【００３３】
図２の（ａ）に示した例示的なＤＲＵは、１８個のサブキャリア及び６個のＯＦＤＭＡシンボルからなる。すなわち、ＤＲＵのサイズは（１８，６）である。ＤＲＵは、９個のＭＲＵ（ｋ＝９）からなる。各ＭＲＵのサイズは（２，６）である。
【００３４】
図２の（ｂ）に示した例示的なＤＲＵは、１８個のサブキャリア及び６個のＯＦＤＭＡシンボルで構成される。すなわち、ＤＲＵのサイズは（１８，６）である。ＤＲＵは、３個のＭＲＵ（ｋ＝３）からなる。各ＭＲＵのサイズは（６，６）である。
【００３５】
図２の各構造に対して、パーミュテーションは６シンボル単位で行われる。しかし、パーミュテーションの遂行単位は、任意のシンボル個数単位である。
【００３６】
本発明の他の実施例によれば、ＤＲＵのサイズは（ＰＳＣ，Ｎｓｙｍ）で、ＭＲＵのサイズは（２ｎ，２ｍ）である。ここで、「ＰＳＣ」は、ＤＲＵを構成する各サブキャリアの個数を示し、「Ｎｓｙｍ」は、ＤＲＵを構成する各シンボルの個数を示す。このとき、「２ｎ」は、ＭＲＵを構成する各サブキャリアの個数を示し、「２ｍ」は、ＭＲＵを構成する各シンボルの個数を示し、「ｎ」は、１≦ｎ≦ＰＳＣ／２を満足する整数で、「ｍ」は、１≦ｍ≦Ｎｓｙｍ／２を満足する整数である。このようなＭＲＵ構成により、２次元のパーミュテーションは、ＳＦＢＣ及びＳＴＢＣを全てサポートすることができる。
【００３７】
図３は、本発明の他の実施例に係る例示的なＤＲＵ構造を示す図である。
【００３８】
図３を参照すれば、ＤＲＵは、１８個のサブキャリア及び６個のＯＦＤＭＡシンボルで構成される。すなわち、ＤＲＵのサイズは（１８，６）である。ＤＲＵを構成するＭＲＵのサイズは（２，２）である。図３の場合、「ｍ」及び「ｎ」はそれぞれ「１」である。
【００３９】
本発明の他の実施例によれば、ＤＲＵのサイズは（ＰＳＣ，Ｎｓｙｍ）で、ＭＲＵのサイズは（２ｎ，１）である。ここで、「ＰＳＣ」は、ＤＲＵを構成する各サブキャリアの個数を示し、「Ｎｓｙｍ」は、ＤＲＵを構成する各シンボルの個数を示す。このとき、「２ｎ」は、ＭＲＵを構成する各サブキャリアの個数を示し、ＰＳＣはｋ＊２ｎと同一で、「ｎ」は自然数で、「ｋ」は、ＤＲＵの一つのＯＦＤＭＡシンボルに含まれるＭＲＵの個数を示す自然数である。このようなＭＲＵ構成により、２次元のパーミュテーションは、ＳＦＢＣ及びＳＴＢＣを全てサポートすることができる。
【００４０】
図４は、本発明の更に他の実施例に係る例示的なＤＲＵの構造を示す図である。
【００４１】
図４を参照すれば、ＤＲＵは、１８個のサブキャリア及び６個のＯＦＤＭＡシンボルで構成される。すなわち、ＤＲＵのサイズは（１８，６）である。ＤＲＵを構成するＭＲＵのサイズは（２，１）である。図４の場合、ｎは１である。
【００４２】
本発明によれば、ＭＲＵ割り当ては、パイロット割り当て前に行われたり、又はパイロット割り当て後に行われる。
【００４３】
本発明の一実施例によれば、全てのＭＲＵは、各パイロットが二つのトーンでペアをなした場合、物理領域及び論理領域の両方で連続的な二つのサブキャリアを含む。
【００４４】
図５は、本発明の一実施例に係る例示的なＤＲＵ構造を示す図である。
【００４５】
図５を参照すれば、全てのパイロットシンボルは、他のパイロットシンボルと物理資源構造上でペアをなしており、全てのＭＲＵは、それによって同一のサイズを有する。図５を参照すれば、一つのＭＲＵが一つのＤＲＵ又は一つのセットのＤＲＵにパイロット割り当て前又はパイロット割り当て後に割り当てられることを容易に理解することができる（すなわち、データサブキャリア及びパイロットサブキャリアの割り当て順序とは関係ない。）。
【００４６】
本発明の更に他の実施例によれば、各ＭＲＵの少なくとも一部は、各パイロットが二つのトーン同士でペアをなしていない場合、論理的には連続しているが、物理的には必ずしも連続していない二つのサブキャリアで構成される。各パイロットが二つのトーン同士でペアをなしていない場合、二つのサブキャリアが論理周波数領域上で連続しているとしても、一つのＭＲＵを構成する二つのサブキャリアは、物理周波数領域上で連続していたり、物理周波数領域上で連続していなかったりする。
【００４７】
図６Ａは、本発明の更に他の実施例に係る更に他の例示的なＤＲＵ構造を示す図である。図６Ａによれば、少なくとも一部のパイロットシンボルは、他のパイロットシンボルとペアをなすことができない。したがって、一つのＭＲＵを構成する二つのデータサブキャリアの間に物理的な非連続性が存在しうる。
【００４８】
本発明の一実施例によれば、分散グループ内に「ＬＤＲＵ」個のＬＲＵ（Ｌｏｇｉｃａｌ  Ｒｅｓｏｕｒｃｅ  Ｕｎｉｔｓ）が存在するという仮定下で、以下では、サブフレーム内のｌ番目のＯＦＤＭＡシンボルのためのパーミュテーション規則を示す（図６Ｂを参照）。
【００４９】
サブフレーム内のｌ番目のＯＦＤＭＡシンボルに対して：
【００５０】
段階Ｓ１）各ＰＲＵ内にｎｌ個のパイロットを割り当て、
【００５１】
段階Ｓ２）残っているＬＤＲＵ・（Ｐｓｃ−ｎｌ）個のデータサブキャリアを０からＬＤＲＵ・（Ｐｓｃ−ｎｌ）−１まで順次リナンバリングし、このように論理的に連続したリナンバリングされた各サブキャリアをＬＤＲＵ・Ｌｐａｉｒ，ｌ個のペアにグルーピングし、０からＬＤＲＵ・Ｌｐａｉｒ，ｌ−１までリナンバリングし、
【００５２】
段階Ｓ３）予め決定されたサブキャリアパーミュテーション公式を適用し、連続的なトーン―ペア［ｉ・Ｌｐａｉｒ，ｌ，（ｉ＋１）・Ｌｐａｉｒ，ｌ−１］をｉ番目の分散ＬＲＵに論理的にマッピングし、このとき、ｉ＝０、１、…、ＬＤＲＵ−１である。
【００５３】
ｔ番目のサブフレームのｓ番目の分散ＬＲＵに対して、予め決定されたサブキャリアパーミュテーション公式は下記のように与えられる。
【００５４】
「ペア（ｓ，ｍ，ｌ，ｔ）」＝ＬＤＲＵ・ｆ（ｍ，ｓ）＋ｇ（ＰｅｒｍＳｅｑ（），ｓ，ｍ，ｌ，ｔ）
【００５５】
ここで、ｌ＝０、１、…、Ｎｓｙｍ−１、で、「ペア（ｓ，ｍ，ｌ，ｔ）」は、ｔ番目のサブフレームのｓ番目の分散ＬＲＵ内のｌ番目（０＜＝ｌ＜Ｎｓｙｍ）のＯＦＤＭＡシンボル内のｍ番目（０＜＝ｍ＜Ｌｐａｉｒ，ｌ）のトーン―ペアのトーン―ペアインデックスで、ｔは、フレームに対するサブフレームインデックスで、ｓは、（０＜＝ｓ＜ＬＤＲＵ）分散ＬＲＵインデックスで、ｍは、ｌ番目のＯＦＤＭＡシンボル内のトーン―ペアインデックスで、ＰｅｒｍＳｅｑ（）は、予め決定された関数又は検索デイブルによって生成されるパーミュテーションシーケンスである。
【００５６】
図６Ａの例示的なＤＲＵにおいて、「ＬＤＲＵ，ＦＰｉ」は６で、「ｎｌ」は２で、「ＰＳＣ」は１８である。したがって、図６に対するパーミュテーション規則は、次のように再び作成される。
【００５７】
１．各ＰＲＵ内の各ＯＦＤＭＡシンボル内に２個のパイロットを割り当てる。
【００５８】
２．残っている６＊（１８−２）＝９６個のデータサブキャリアをインデックス０からインデックス［６＊（１８−２）−１］＝９５まで順次リナンバリングする。
【００５９】
３．連続的にリナンバリングされた各サブキャリアを、ＳＦＢＣをサポートするために［６＊（１８−２）］／２＝４８個のペア／クラスタにグルーピングする。
【００６０】
４．パーミュテーションシーケンスＰｅｒｍＳｅｑ（）を、前記グルーピングされたペア／クラスタに適用する。
【００６１】
図５及び図６を参照して記述した各例の思想は、より大きいサイズのＭＲＵのために拡張されて一般化される。すなわち、パイロット設計が、条件１）各パイロットは２ｎ個（ｎ＝１、２、…）の連続的なサブキャリアでペアをなし、条件２）パイロット割り当て後に残っているデータサブキャリアの個数は常に２ｎ個（ｎ＝１、２、…）の連続的なサブキャリアでペアをなす、という条件を満足する場合、一つのＭＲＵは、割り当て順序と関係なしに物理的かつ論理的に全て連続したサブキャリアで構成される。一方、パイロットが上述した条件１）、条件２）を満足しない場合、一つのＭＲＵは、各パイロットシンボルを割り当てた後、論理的に連続した各サブキャリアで構成されるが、一つのＭＲＵが物理的に連続したサブキャリアで構成されることは保障されない。すなわち、パイロット割り当て後に、一つのＭＲＵの二つのデータサブキャリアは、物理的に連続していないことがある（これらサブキャリアは、一つのパイロットシンボルによって分離される。）。しかし、このように物理的に分離された各サブキャリアは、論理的に合わせられて一つのＭＲＵを構成することができる。
【００６２】
本発明によれば、基本ＰＲＵは、周波数軸上又は時間軸上で互いに隣接する一つ以上のＭＲＵで構成される。基本ＰＲＵが周波数軸に沿って分割される場合、周波数軸上で分散割り当てがサポートされる。一方、基本ＰＲＵが時間軸に沿って分割される場合、時間軸上で分散割り当てがサポートされる。一つの基本ＰＲＵが時間軸上で互いに隣接する一つ以上のＭＲＵに分離される場合、これによって、それぞれのＭＲＵが周波数軸上で十分な長さを有するので、ＳＦＢＣ／ＳＴＢＣのようなＭＩＭＯ方式を具現しやすい。望ましくは、基本ＰＲＵは、周波数軸で１８個のサブキャリアで構成される。この場合、それぞれのＭＲＵは、偶数個のサブキャリアで構成される。以下、本発明の各実施例を記述するが、このとき、基本ＰＲＵは周波数軸上で１８個のサブキャリアからなるものと仮定する。しかし、本発明は、基本ＰＲＵを構成するサブキャリアの特定個数によって限定されないことに注目しなければならない。この出願書で、サブチャンネル化は、一つの基本ＰＲＵを一つ以上のＭＲＵに分ける過程、又は結果的に一つ以上のＭＲＵからなる基本ＰＲＵの資源構造をいう。
【００６３】
各サブフレームは、一つのサブフレームを構成するＯＦＤＭＡシンボルの個数によって正規サブフレーム及び非正規サブフレームに分類される。一つの正規サブフレームは６個のＯＦＤＭＡシンボルで構成され、一つの非正規サブフレームは、５個又は７個のＯＦＤＭＡシンボルで構成される。望ましくは、正規サブフレームの一つの基本ＰＲＵは、１８個のサブキャリア及び６個のＯＦＤＭＡシンボルで構成される。一方、非正規サブフレームの一つの基本ＰＲＵは、１８個のサブキャリア及び５個又は７個のＯＦＤＭＡシンボルで構成される。この場合、基本ＰＲＵを構成する一つのＭＲＵは、ｘ個のサブキャリア及びｙ個のＯＦＤＭＡシンボルで構成される。ここで、サブフレームのタイプと関係なしに、ｘは１から１８までの整数のうち一つで、ｙは、一つのサブフレームに含まれるＯＦＤＭＡシンボルの総個数であるか、又は、一つのサブフレームに含まれるＯＦＤＭＡシンボルの総個数の約数である。一つのＭＲＵは、パイロット、データ及び制御サブキャリアで構成される。ここで、本発明が、基本ＰＲＵを構成する各サブキャリアの個数によって制限されないことに注目しなければならない。
【００６４】
本発明の一部の実施例によれば、一つの基本ＰＲＵは、分散割り当て方式をサポートするために周波数軸上で「１８／ｘ」個のＭＲＵに分けられる。「ｘ」は、望ましくは２である。ｘ＝１である場合、すなわち、「トーン別サブチャンネル化」の場合、ＳＦＢＣを具現しにくい。したがって、ＳＦＢＣのために２個のサブキャリアが一つの単位になる必要がある。すなわち、一つの基本ＰＲＵは、望ましくは９（＝１８／２）個のＭＲＵで構成され、それぞれのＭＲＵは、分散割り当て方式をサポートするために２個のサブキャリア（すなわち、ｘ＝２）で構成される。
【００６５】
ＳＦＢＣは、ＳＴＢＣの具現が可能でない非正規サブフレームをサポートするシステムに適用することができる。しかし、ＳＦＢＣモードで、トーン別サブチャンネル化（すなわち、ｘ＝１）が採択される場合、分散割り当て方式は具現しにくいが、これは、ＳＦＢＣに内在するデータサブキャリアペアリング問題のためである。したがって、本発明の一部の実施例によれば、ｘは、望ましくは２、６又は１８の値を有し、一つのＰＲＵを形成する全てのＭＲＵが同一のサイズを有するという仮定下で、前記一つの基本ＰＲＵ内のＭＲＵの個数は、分散割り当てにおいて９、３又は１になる。しかし、一つの基本ＰＲＵを形成する全てのＭＲＵが必ずしも同一である必要がない場合、ｘは、２〜１８の整数のうち任意の値になる。
【００６６】
図７は、本発明の一実施例に係る正規サブフレームの一つの基本ＰＲＵのためのＭＲＵの構造を示す図である。
【００６７】
この実施例で、基本ＰＲＵは、望ましくは、１８個のサブキャリア及び６個のＯＦＤＭＡシンボルで構成される。そして、一つのＭＲＵは、６個のサブキャリア及び６個のＯＦＤＭＡシンボルで構成される。したがって、サイズ（１８，６）の基本ＰＲＵは、サイズ（６，６）の３個のＭＲＵで構成される。このとき、前記３個のＭＲＵは周波数軸で互いに隣接する。図７を参照すれば、一つのＭＲＵが３６（＝６＊６）個のトーンからなることが分かる。この文書で、「トーン」という用語は、１個のサブキャリア及び１個のＯＦＤＭＡシンボルによって特定される一つの資源を示す。
【００６８】
一方、一つのＭＲＵが（９，６）のサイズを有するように設計され、サイズが（１８，６）である一つの基本ＰＲＵが２個の前記ＭＲＵからなる場合、十分な周波数ダイバーシティを得られないことがある。その一方、サイズが（１８，６）である一つの基本ＰＲＵが４個のＭＲＵで構成されるように一つのＭＲＵ構造を設計する場合、システムのオーバーヘッド及び／又は複雑度が増加する。また、各パイロットが一つのＰＲＵの３個のＭＲＵより多く分けられる場合、ＳＦＢＣをサポートしにくい。したがって、基本ＰＲＵのサイズが（１８，６）である場合にシステム性能を最適化するために、前記基本ＰＲＵを周波数軸で３個のＭＲＵにサブチャンネル化することが望ましい。
【００６９】
図８及び図９は、それぞれ本発明の一実施例に係る非正規サブフレームの一つの基本ＰＲＵのための一つのＭＲＵの他の構造を示す図である。
【００７０】
図８で、サブチャンネル化方法は、基本ＰＲＵ及びＭＲＵがそれぞれ５個のＯＦＤＭＡシンボルで構成されるという事実を除いては図７と同一である。
【００７１】
図９で、サブチャンネル化方法は、基本ＰＲＵ及びＭＲＵがそれぞれ７個のＯＦＤＭＡシンボルで構成されるという事実を除いては図７と同一である。
【００７２】
図８及び図９を参照すれば、一つのＭＲＵは、それぞれ３０個又は４２個の（（＝６＊５又は６＊７）トーンで構成されることが分かる。
【００７３】
図１０は、本発明の一実施例に係る正規サブフレームの一つの基本ＰＲＵのための一つのＭＲＵの更に他の構造を示す図である。
【００７４】
この実施例で、一つの基本ＰＲＵは、１８個のサブキャリア及び６個のＯＦＤＭＡシンボルで構成されることが望ましい。基本ＰＲＵは、時間軸上で互いに隣接する３個のＭＲＵで構成される。この実施例で、３個のＭＲＵは、全て同一のサイズ（１８，２）を有する。図１０を参照すれば、一つのＭＲＵが３６（＝１８＊２）個のトーンで構成されることが分かる。
【００７５】
一方、サイズが（１８，６）である基本ＰＲＵをサイズが（１８，３）である二つのＭＲＵに分けることが可能である。しかし、この場合、十分な時間ダイバーシティを得られるないことがある。したがって、一つの基本ＰＲＵのサイズが（１８，６）であるときにシステム性能を最適化するために、基本ＰＲＵを３個のＭＲＵに時間軸上でサブチャンネル化することが望ましい。
【００７６】
図１１は、本発明の他の実施例に係る非正規サブフレームの一つの基本ＰＲＵのための一つのＭＲＵの他の構造を示す図である。
【００７７】
この実施例で、一つの基本ＰＲＵは、望ましくは、１８個のサブキャリア及び５個のＯＦＤＭＡシンボルで構成される。基本ＰＲＵは、時間軸上で互いに隣接する３個のＭＲＵで構成される。基本ＰＲＵ内の３個のＭＲＵが同一のサイズを有することが望ましいとしても、これは、５個のＯＦＤＭＡシンボルで構成される非正規サブフレームに対しては可能でない。したがって、この実施例で、ＭＲＵのうち二つは（１８，２）のサイズを有し、他の一つのＭＲＵは（１８，１）のサイズを有する。図１１を参照すれば、一つのＭＲＵは、３６個又は１８個の（＝１８＊２又は１８＊１）トーンで構成されることが分かる。
【００７８】
一方、（１８，５）サイズの一つの基本ＰＲＵを（１８，３）のサイズを有する一つのＭＲＵと（１８，２）のサイズを有する一つのＭＲＵに分けることが可能である。しかし、この場合、十分な時間ダイバーシティを得られないことがある。したがって、一つの基本ＰＲＵのサイズが（１８，５）であるときにシステム性能を最適化するために、本実施例のように時間軸上で一つの基本ＰＲＵを３個のＭＲＵにサブチャンネル化することが望ましい。
【００７９】
図１２は、本発明の一実施例に係る非正規サブフレームの一つの基本ＰＲＵの一つのＭＲＵの更に他の構造を示す図である。
【００８０】
この実施例で、基本ＰＲＵは、望ましくは、１８個のサブキャリア及び７個のＯＦＤＭＡシンボルで構成される。この基本ＰＲＵは、時間軸上で互いに隣接する３個のＭＲＵで構成される。一つの基本ＰＲＵ内の３個のＭＲＵが全て同一のサイズを有することが望ましいとしても、これは、７個のＯＦＤＭＡシンボルからなる非正規サブフレームに対しては可能でない。したがって、この実施例で、二つのＭＲＵは（１８，２）のサイズを有し、一つのＭＲＵは（１８，３）のサイズを有する。図１２を参照すれば、一つのＭＲＵは、それぞれ３６個又は５４個の（＝１８＊２又は１８＊３）トーンで構成されることが分かる。
【００８１】
一方、（１８，７）のサイズを有する基本ＰＲＵを、（１８，４）のサイズを有する一つのＭＲＵと（１８，３）のサイズを有する一つのＭＲＵに分けることが可能である。しかし、この場合、十分な時間ダイバーシティを得られないことがある。したがって、一つの基本ＰＲＵサイズが（１８，７）である場合にシステム性能を最適化するために、本実施例のように時間軸上で一つの基本ＰＲＵを３個のＭＲＵにサブチャンネル化することが望ましい。
【００８２】
以上論議したように、ＳＦＢＣ／ＳＴＢＣのようなＭＩＭＯ方式は、図１０、図１１及び図１２のＭＲＵ構造によって具現される。その理由は、これによって、それぞれのＭＲＵが周波数軸上で十分な長さを有するためである。
【００８３】
本発明の一実施例で、上述したＰＲＵは、基地局から移動局に送信される。更に他の実施例で、上述したＰＲＵは、移動局から基地局に送信される。
【００８４】
図１３は、本発明の一実施例に係るフレーム構造を示すダイアグラムである。
【００８５】
この実施例で、システム帯域１３０１は、Ｎ個の周波数パーティションＦＰ０、ＦＰ１、…、ＦＰｉ、…、ＦＰＮ−１に分けられる。これら周波数パーティションは、部分周波数再使用又は他の目的のために使用される。周波数パーティションＦＰｉ  １３０２は、ＬＤＲＵ，ＦＰｉ個の分散資源ユニットＤＲＵＦＰｉ［ｊ］（ｊ＝０〜ＬＤＲＵ，ＦＰｉ−１）、及び／又は、図１３に示していないが、一つ以上のローカル資源ユニットを含むことができる。一つのＤＲＵＦＰｉ［ｊ］の時間長さは、フレームを構成する複数のサブフレームのそれぞれの時間長さと同一であるか、それより小さい。この実施例では、一つのＤＲＵＦＰｉ［ｊ］の時間長さが一つのサブフレームの時間長さと同一であるが、本発明がここに限定されることはない。ｔ番目のサブフレーム１３０３及びＤＲＵＦＰｉ［ｊ］は、Ｈ個のＯＦＤＭシンボルからなる。ｌ番目ＯＦＤＭシンボル１３０４は、Ｐｓｃ個のサブキャリアからなるが、これに、ｎｌ個のパイロットサブキャリア及びＬＳＣ，ｌ（＝Ｐｓｃ−ｎｌ）個のデータサブキャリアが含まれる。ｎｌ個のパイロットサブキャリアを除けば、ｌ番目のＯＦＤＭシンボル１３０４は、ブロック１３０５のように再び示される。ブロック１３０５のＳＣ＿ＤＲＵＦＰｉ［ｊ］，ｌ［ｎ］（ｎ＝０、…、ＬＳＣ，ｌ−１）は、システム帯域のｉ番目の周波数パーティションのｊ番目のＤＲＵのｌ番目のＯＦＤＭシンボルのｎ番目のサブキャリアを示す。
【００８６】
図１４は、本発明の一実施例によるサブキャリア―ＤＲＵマッピングを示すダイアグラムである。
【００８７】
図１４の（ｂ）は、図１４の（ａ）に示すように、周波数パーティションＦＰｉ内に含まれた全てのＤＲＵのｌ番目のＯＦＤＭシンボルのデータサブキャリアを示す。それぞれのＤＲＵがＬＳＣ，ｌ個のデータサブキャリアを含むので、周波数パーティションＦＰｉは、総ＬＤＲＵ，ＦＰｉ・ＬＳＣ，ｌ個のデータサブキャリアを含む。ＬＤＲＵ，ＦＰｉ・ＬＳＣ，ｌ個のサブキャリアは、順次リナンバリングされ、インデックス０〜ＬＤＲＵ，ＦＰｉ・ＬＳＣ，ｌ−１の値を有する。その次に、このように論理的に連続したリナンバリングされたデータサブキャリアは、ＬＤＲＵ，ＦＰｉ・ＬＳＰ，ｌ個のペアにグルーピングされ、インデックス０〜ＬＤＲＵ，ＦＰｉ・ＬＳＰ，ｌ−１まで再びリナンバリングされる。ここで、ＬＳＰ，ｌ＝ＬＳＣ，ｌ／２である。それぞれのリナンバリングされたデータサブキャリアペアはＲＳＰＦＰｉ，ｌ［ｕ］と表記されるが、これは、インデックス｛ＳＣ＿ＤＲＵＦＰｉ［ｊ］，ｌ［２ｖ］，ＳＣ＿ＤＲＵＦＰｉ［ｊ］，ｌ［２ｖ＋１］｝を有するサブキャリアペアを示す。このとき、０＜＝ｕ＜ＬＤＲＵ，ＦＰｉ・ＬＳＰ，ｌ、ｊ＝ｆｌｏｏｒ（ｕ／ＬＳＰ，ｌ）、ｖ＝ｕ  ｍｏｄ  ＬＳＰ，ｌ．である。
【００８８】
図１３及び図１４は、本発明に係るフレーム構造の論理領域を示す。ペアをなしたサブキャリアＲＳＰＦＰｉ，ｌ［ｕ］は、予め決定された公式によって周波数パーティションＦＰｉの分散ＬＲＵにマッピングされる。物理領域での各ＰＲＵに対応する分散ＬＲＵは、基地局と移動通信端末との間で交換される。
【００８９】
本発明の一実施例によれば、前記予め決定されたパーミューテーション公式は、ＳＣ＿ＤＲＵＦＰｉ［ｊ］、ｌ［ｍ］＝ＲＳＰＦＰｉ，ｌ［ｋ］のように与えられる。ここで、ｋは、ＬＤＲＵ，ＦＰｉ・ｆ（ｍ，ｓ）＋ｇ（ＰｅｒｍＳｅｑ（），ｓ，ｍ，ｌ，ｔ）で、これは、ｔ番目のサブフレームのｓ番目の分散ＬＲＵのｌ番目のＯＦＤＭＡシンボルでのｍ番目のサブキャリアペアを意味し、ｍは、０からＬＳＰ，ｌ−１の範囲を有するサブキャリアペアで、ｔは、そのフレームに該当するサブフレームインデックスを意味する。
【００９０】
図１５は、図６Ｂを含み、図２〜図１４の各データ構造を交換可能な無線通信システムの構造を示す図である。この無線通信システムは、Ｅ―ＵＭＴＳ（ｅｖｏｌｖｅｄ―ｕｎｉｖｅｒｓａｌ  ｍｏｂｉｌｅ  ｔｅｌｅｃｏｍｍｕｎｉｃａｔｉｏｎｓ  ｓｙｓｔｅｍ）のネットワーク構造を有することができる。また、Ｅ―ＵＭＴＳは、ＬＴＥ（ｌｏｎｇ  ｔｅｒｍ  ｅｖｏｌｕｔｉｏｎ）システムといわれる。この無線通信システムは、音声、パケットデータなどの多様な通信サービスを提供するために幅広く採択される。
【００９１】
図１５を参照すれば、Ｅ―ＵＴＲＡＮ（ｅｖｏｌｖｅｄ―ＵＭＴＳ  ｔｅｒｒｅｓｔｒｉａｌ  ｒａｄｉｏ  ａｃｃｅｓｓ  ｎｅｔｗｏｒｋ）は、制御プレーン及びユーザプレーンを提供する一つ以上のＢＳ（Ｂａｓｅ  ｓｔａｔｉｏｎ、基地局）２０を有する。
【００９２】
ユーザ機器（Ｕｓｅｒ  Ｅｑｕｉｐｍｅｎｔ、ＵＥ）１０は、固定又は移動可能であり、移動局（ｍｏｂｉｌｅ  ｓｔａｔｉｏｎ、ＭＳ）、ユーザ端末（ｕｓｅｒ  ｔｅｒｍｉｎａｌ、ＵＴ）、加入者局（ｓｕｂｓｃｒｉｂｅｒ  ｓｔａｔｉｏｎ、ＳＳ）、無線機器などの他の用語で称される。ＢＳ２０は、ＵＥ１０と通信する、通常、固定された局であり、ｅＮＢ（ｅｖｏｌｖｅｄ  ｎｏｄｅ―Ｂ）、ＢＴＳ（ｂａｓｅ  ｔｒａｎｓｃｅｉｖｅｒ  ｓｙｓｔｅｍ）、接続ポイント（ａｃｃｅｓｓ  ｐｏｉｎｔ）などの他の用語で称されることもある。ＢＳ２０のカバレッジ内には一つ以上のセルが存在する。ユーザトラフィック又は制御トラフィックを送信するインターフェースは、各ＢＳ２０間で使用される。以下、ダウンリンクはＢＳ２０からＵＥ１０への通信リンクとして定義され、アップリンクはＵＥ１０からＢＳ２０までの通信リンクとして定義される。
【００９３】
各ＢＳ２０は、Ｘ２インターフェースによって互いに連結される。また、各ＢＳ２０は、Ｓ１インターフェースによってＥＰＣ（ｅｖｏｌｖｅｄ  ｐａｃｋｅｔ  ｃｏｒｅ）に連結され、特に、ＭＭＥ（ｍｏｂｉｌｉｔｙ  ｍａｎａｇｅｍｅｎｔ  ｅｎｔｉｔｙ）／Ｓ―ＧＷ（ｓｅｒｖｉｎｇ  ｇａｔｅｗａｙ）３０に連結される。Ｓ１インターフェースは、ＢＳ２０とＭＭＥ／Ｓ―ＧＷ３０との間の多対多（ｍａｎｙ―ｔｏ―ｍａｎｙ）連結をサポートする。
【００９４】
図１６は、装置５０の各構成要素を示すダイアグラムである。この装置５０は、図１５のＵＥ又はＢＳである。また、この装置５０は、図２〜図１４の各データ構造を交換することができる。装置５０は、プロセッサ５１、メモリ５２、無線周波数ユニット（ＲＦユニット）５３、ディスプレイユニット５４及びユーザインターフェースユニット５５を含む。無線インターフェースプロトコルの各レイヤーは、プロセッサ５１内で具現される。プロセッサ５１は、制御プレーン及びユーザプレーンを提供する。各レイヤーの機能はプロセッサ５１内で具現される。プロセッサ５１は、競合解決タイマー（ｃｏｎｔｅｎｔｉｏｎ  ｒｅｓｏｌｕｔｉｏｎ  ｔｉｍｅｒ）を含むことができる。メモリ５２は、プロセッサ５１に連結され、オペレーティングシステム、アプリケーション及び一般のファイルを格納する。装置５０がＵＥである場合、ディスプレイユニット５４は、多様な情報をディスプレイし、ＬＣＤ（ｌｉｑｕｉｄ  ｃｒｙｓｔａｌ  ｄｉｓｐｌａｙ）、ＯＬＥＤ（ｏｒｇａｎｉｃ  ｌｉｇｈｔ  ｅｍｉｔｔｉｎｇ  ｄｉｏｄｅ）などのよく知られた要素を使用することができる。ユーザインターフェースユニット５５は、キーパッド、タッチスクリーンなどのよく知られたユーザインターフェースの組み合わせで構成される。ＲＦユニット５３は、プロセッサ５１に連結され、無線信号を送受信することができる。
【００９５】
ＵＥとネットワークとの間の無線インターフェースプロトコルの各レイヤーは、通信システムでよく知られたＯＳＩ（ｏｐｅｎ  ｓｙｓｔｅｍ  ｉｎｔｅｒｃｏｎｎｅｃｔｉｏｎ）モデルの下位３個のレイヤーに基づいて第１のレイヤー（Ｌ１）、第２のレイヤー（Ｌ２）及び第３のレイヤー（Ｌ３）に分類される。物理レイヤー又はＰＨＹレイヤーは、前記第１のレイヤーに属し、物理チャンネルを介して情報伝送サービスを提供する。ＲＲＣ（ｒａｄｉｏ  ｒｅｓｏｕｒｃｅ  ｃｏｎｔｒｏｌ）レイヤーは、前記第３のレイヤーに属し、ＵＥとネットワークとの間の各制御無線資源を提供する。ＵＥとネットワークは、ＲＲＣレイヤーを介して各ＲＲＣメッセージを交換する。
【００９６】
この技術分野の熟練された者にとって、本発明の思想から逸脱しない範囲で本発明の多様な変形が可能であることは明白であろう。したがって、本発明は、添付した特許請求の範囲とその等価物の範囲内で多様な変形を行えるように意図された。
【産業上の利用可能性】
【００９７】
本発明は、ＳＦＢＣをサポートする広帯域無線移動通信システムに適用可能である。
【図１】
2011519187.tif 000003
【図２】
2011519187.tif 000004
【図３】
2011519187.tif 000005
【図４】
2011519187.tif 000006
【図５】
2011519187.tif 000007
【図６Ａ】
2011519187.tif 000008
【図６Ｂ】
2011519187.tif 000009
【図７】
2011519187.tif 000010
【図８】
2011519187.tif 000011
【図９】
2011519187.tif 000012
【図１０】
2011519187.tif 000013
【図１１】
2011519187.tif 000014
【図１２】
2011519187.tif 000015
【図１３】
2011519187.tif 000016
【図１４】
2011519187.tif 000017
【図１５】
2011519187.tif 000018
【図１６】
2011519187.tif 000019
【国際調査報告】
2011519187.tif 000020
2011519187.tif 000021